(57)【要約】【課題】開閉部材を開閉自在に軸支した構造の入賞装置において、開閉部材自体の動作変化を直接目視確認することなく、開閉部材が開放状態にあるか、閉鎖状態にあるかを遊技者が一目で確認することができる。【解決手段】パチンコ遊技機に装備され、常時においては遊技球を受け入れ難い閉鎖状態に保持される一方で、遊技状態が特定の条件を満たした場合に遊技球を受け入れ易い開放状態に動作する開閉部材３１、３２を備えた入賞装置２０において、開閉部材が、閉鎖状態及び開放状態にあることを夫々報知する報知装置２１を備えた。【選択図】      図２
2004223161.tif 000002
【特許請求の範囲】
【請求項１】
パチンコ遊技機に装備され、常時においては遊技球を受け入れ難い閉鎖状態に保持される一方で、遊技状態が特定の条件を満たした場合に遊技球を受け入れ易い開放状態に動作する開閉部材を備えた入賞装置において、
前記開閉部材が、閉鎖状態と開放状態にあることを夫々報知する報知装置を備えたことを特徴とするパチンコ遊技機の入賞装置。
【請求項２】
前記報知装置は、前記入賞装置の前面に配置した前飾り板に配置されていることを特徴とする請求項１に記載のパチンコ遊技機の入賞装置。
【請求項３】
前記報知装置は、前記前飾り板の少なくとも一部に可動表示部を備え、前記入賞装置の閉鎖動作及び開放動作に夫々連動して該可動表示部を動作させて表示内容を変化させることにより、前記開閉部材が閉鎖状態、或いは開放状態に変化したことを夫々報知するように構成したことを特徴とする請求項２に記載のパチンコ遊技機の入賞装置。
【請求項４】
前記報知装置は、前記前飾り板に設けた固定表示部と可動表示部とから成り、前記開閉部材の閉鎖動作及び開放動作に夫々連動して該可動表示部を動作させて表示内容を変化させることにより、前記固定表示部と前記可動表示部との協働によって前記開閉部材が閉鎖状態、或いは開放状態に変化したことを夫々報知するように構成したことを特徴とする請求項２に記載のパチンコ遊技機の入賞装置。
【請求項５】
前記開閉部材は、開閉方向へ回動自在に軸支された一対の可変翼から成り、
前記前飾り板に設けた可動表示部は、前飾り板前面の一部に設けた窓部と、窓部の奥部に出没自在に配置されたシャッタ板と、を備え、
前記固定表示部は、前記窓部を除いた前記前飾り板前面に設けられた固定表示部本体と、前記窓部の内奥部であって前記シャッタ板の更に内奥部に固定配置された奥部固定表示部と、を備え、
前記一対の可変翼が閉鎖状態と開放状態との間を交互に動作する際に、該可変翼の一部が前記シャッタ板を出没動作させて可変翼の閉鎖状態又は開放状態を夫々報知するように構成したことを特徴とする１、２、３又は４に記載のパチンコ遊技機の入賞装置。
【請求項６】
前記シャッタ板が退避して前記奥部固定表示部が前記窓部内に露出したときに、前記固定表示部本体と前記奥部固定表示部は、前記可変翼が開放状態にあることを表示し、前記シャッタ板が前記窓部を閉止したときに前記固定表示部本体と該シャッタ板前面により前記可変翼が閉鎖状態にあることを表示することを特徴とする請求項５に記載のパチンコ遊技機の入賞装置。
【請求項７】
前記固定表示部本体及び前記奥部固定表示部の各前面には、前記可変翼が閉鎖状態、或いは開放状態の何れか一方の状態にあることを報知する文字、図形、符号等から成る固定表示内容が前方から視認可能に表示されており、前記窓部を前記シャッタ板が閉止している際には該窓部内に露出するシャッタ板前面に表示された文字、図形、符号等が、前記固定表示部本体の表示内容との協働によって前記状態とは逆の状態にあることを報知することを特徴とする請求項５又は６に記載のパチンコ遊技機の入賞装置。
【請求項８】
前記報知装置は、発光により前記開閉部材の状態を視覚的に報知する発光装置を備えることを特徴とする請求項１、２、３又は４に記載のパチンコ遊技機の入賞装置。
【発明の詳細な説明】
【０００１】
【発明の属する技術分野】
本発明は、パチンコ遊技機に装備される入賞装置の改良に関し、特に所定の条件の成立を契機として開放動作することにより、遊技球を受け入れ易くするための開閉部材を備えた入賞装置の改良に関する。
【０００２】
【従来の技術】
パチンコ遊技機の遊技盤面上には、常時においては閉鎖しているが入賞等の特定条件の成立を契機として開放して遊技球を受け入れやすい状態に変化する羽根部材が設けられている。電動役物としての羽根部材は、例えば入賞装置の一部として構成され、支点によって所定の角度範囲内で回動自在に軸支された２枚の羽根片を夫々ソレノイド等の駆動手段によって内外方向へ回動変化させるように構成されている。羽根部材は、例えば遊技球が入賞口に入賞した場合等、遊技者に有利な権利状態に移行する際に連動して作動し、逆ハ字状に開放して遊技球を導入し、入賞、通過、誘導させる機能を発揮する。
このような羽根部材を備えた入賞装置の従来例として、特開平１１−３０９２５２号、特願２００１−３２７７０４、特願２００１−０４６６３８等がある。しかし、従来の入賞装置において、羽根部材は単に開閉するだけであり、しかも羽根部材の大半が前飾り板により隠蔽されるなど、その動作変化が視認し易い状況にあるとは限らないため、有利な開放状態に変化したことを遊技に集中している遊技者にアピールできず、好機を逃してしまうことが多々あった。このような従来の羽根部材において発生していた不利不便は、当該遊技機に対する興趣を低下させ、不満を募らせる原因となることはあっても、遊技機の人気を高める上では全く貢献しておらず、この点の改善が強く求められていた。
【特許文献１】特開平１１−３０９２５２号
【特許文献２】特願２００１−３２７７０４
【特許文献３】特願２００１−０４６６３８
【０００３】
【発明が解決しようとする課題】
本発明は上記に鑑みてなされたものであり、開閉部材を開閉自在に軸支した構造の入賞装置において、開閉部材が開放状態にあるか、閉鎖状態にあるかを遊技者が一目で確認することができる入賞装置を備えたパチンコ遊技機を提供することを目的とする。
【０００４】
【課題を解決するための手段】
上記課題を解決するため、請求項１の発明は、パチンコ遊技機に装備され、常時においては遊技球を受け入れ難い閉鎖状態に保持される一方で、遊技状態が特定の条件を満たした場合に遊技球を受け入れ易い開放状態に動作する開閉部材を備えた入賞装置において、前記開閉部材が、閉鎖状態及び開放状態にあることを夫々報知する報知装置を備えたことを特徴とする。
従来は、開閉部材が閉鎖状態から開放状態に変化したことを知るためには、開閉部材を直接目視確認する必要があった。このため、例えば、開閉部材（通常、小サイズ）の一部が前飾り板等によって隠蔽されている場合には遊戯中にその動作変化を知ることができず好機を逃すことが多々あった。本発明では、開閉部材の開閉動作を直接目視確認した結果に依存することなく、開閉部材の前面の目立つ位置に、開閉部材の開閉動作と連動して作動し、且つ目視確認が極めて容易な構成を備えた報知手段を配置したので、開放状態への変化を見落とすことが皆無となり、遊技機に対する興趣を高め、人気の低落を防止できる。
なお、開閉部材の閉鎖状態については格別に報知することなく、開放状態のみを報知するように構成した場合も、本請求項の技術的範囲に含まれるものである。
請求項２の発明は、請求項１において、前記報知装置は、前記入賞装置の前面に配置した前飾り板に配置されていることを特徴とする。
開閉部材の動作に連動して表示内容を変化させる報知装置を、最も目立つ位置である入賞装置前面の前飾り板に配置することにより、視認性を高め、見落としをなくすることができる。
【０００５】
請求項３の発明は、請求項２において、前記報知装置は、前記前飾り板の少なくとも一部に可動表示部を備え、前記入賞装置の閉鎖動作及び開放動作に夫々連動して該可動表示部を動作させて表示内容を変化させることにより、前記開閉部材が閉鎖状態、或いは開放状態に変化したことを夫々報知するように構成したことを特徴とする。
前飾り板の全面、或いは一部を可動表示部としておき、開閉部材の動作に連動して表示内容を変更できるように構成しておくことにより、簡単な構成により、表示内容を切替ることが可能となる。
請求項４の発明は、請求項２において、前記報知装置は、前記前飾り板に設けた固定表示部と可動表示部とから成り、前記開閉部材の閉鎖動作及び開放動作に夫々連動して該可動表示部を動作させて表示内容を変化させることにより、前記固定表示部と前記可動表示部との協働によって前記開閉部材が閉鎖状態、或いは開放状態に変化したことを夫々報知するように構成したことを特徴とする。
報知装置を、表示内容が固定して変化しない固定表示部と、表示内容が変化（出没）する可動表示部から構成し、固定表示部の一部を可動表示部により隠蔽したり露出させるように構成することにより、種々の任意の表示内容を作出することができる。
請求項５の発明は、１、２、３又は４において、前記開閉部材は、開閉方向へ回動自在に軸支された一対の可変翼から成り、前記前飾り板に設けた可動表示部は、前飾り板前面の一部に設けた窓部と、窓部の奥部に出没自在に配置されたシャッタ板と、を備え、前記固定表示部は、前記窓部を除いた前記前飾り板前面に設けられた固定表示部本体と、前記窓部の内奥部であって前記シャッタ板の更に内奥部に固定配置された奥部固定表示部と、を備え、前記一対の可変翼が閉鎖状態と開放状態との間を交互に動作する際に、該可変翼の一部が前記シャッタ板を出没動作させて可変翼の閉鎖状態又は開放状態を夫々報知するように構成したことを特徴とする。
シャッタ板が窓部内に位置している時に前飾り板が閉鎖状態を示す様にしても良いし、逆に開放状態を示す様にしてもよい。
【０００６】
請求項６の発明は、請求項５において、前記シャッタ板が退避して前記奥部固定表示部が前記窓部内に露出したときに、前記固定表示部本体と前記奥部固定表示部は、前記可変翼が開放状態にあることを表示し、前記シャッタ板が前記窓部を閉止したときに前記固定表示部本体と該シャッタ板前面により前記可変翼が閉鎖状態にあることを表示することを特徴とする。
請求項７の発明は、請求項５又は６において、前記固定表示部本体及び前記奥部固定表示部の各前面には、前記可変翼が閉鎖状態、或いは開放状態の何れか一方の状態にあることを報知する文字、図形、符号等から成る固定表示内容が前方から視認可能に表示されており、前記窓部を前記シャッタ板が閉止している際には該窓部内に露出するシャッタ板前面に表示された文字、図形、符号等が、前記固定表示部本体の表示内容との協働によって前記状態とは逆の状態にあることを報知することを特徴とする。
上記の各表示内容中には、色違い、模様違いによって識別する構成も含まれる。
請求項８の発明は、請求項１、２、３又は４において、前記報知装置は、発光により前記開閉部材の状態を視覚的に報知する発光装置を備えることを特徴とする。
発光装置を例えばＬＥＤにて構成し、点灯、点滅等により開閉部材の状態を識別可能に構成してもよい。
【０００７】
【発明の実施の形態】
以下、この発明に係るパチンコ遊技機を、図面に示した実施形態に基づいて具体的に説明する。
図１は本発明の一実施形態に係る入賞装置を備えたパチンコ遊技機の全体構成を示す正面図であり、図２（ａ）及び（ｂ）は本発明の一実施形態に係る入賞装置の閉鎖状態の構成を示す前方斜視図、及び平面図であり、図３（ａ）及び（ｂ）はその開放状態の構成を示す前方斜視図、及び平面図であり、図４（ａ）及び（ｂ）は上記入賞装置の構成を示す分解斜視図、及び前飾り板と可変翼の分解斜視図であり、図５（ａ）及び（ｂ）は可変翼とシャッタ板との連携状態を示す図であり、図６（ａ）及び（ｂ）は作動部材の構成を示す斜視図、及び平面図であり、図７（ａ）及び（ｂ）は閉鎖状態及び開放状態の構成説明図である。
パチンコ遊技機は、図１の正面図に示すように遊技盤１を備え、遊技盤１の前面を構成する遊技領域２には、例えば中央に複数の図柄を順次上下に移動（回動）させながら表示する図柄変動表示装置３が配置され、その周囲には入賞口４などの盤面部品、遊技釘５が配置される。更に、遊技領域２の適所、この例では図柄変動表示装置３の直下位置には、本発明の実施形態に係る特徴的な構成を備えた入賞装置２０が配置されている。
遊技盤１の左側縁には、遊技機の下部に配置された遊技球発射装置７から発射された遊技球を遊技領域２内に導くための遊技球誘導経路６が上下方向へ延びて形成されている。
この入賞装置２０は、常時においては遊技球を受け入れ難い閉鎖状態に保持される一方で、遊技状態が特定の条件を満たした場合に遊技球を受け入れ易い開放状態に動作する開閉部材（可変翼）３１、３２を開閉自在に軸支している。更に、この入賞装置２０は、開閉部材３１、３２が閉鎖状態と開放状態に夫々変化したことを報知する報知装置２１を備えた構成が特徴的である。
この報知装置２１は、開閉部材３１、３２が開放状態にあるか、閉鎖状態にあるかを遊技者が一目で確認することができるように報知するための手段である。
【０００８】
以下、更に入賞装置２０の構成を詳細に説明する。
この入賞装置２０は、図４（ａ）の分解斜視図にも示したように報知装置２１を備えた入賞装置本体３０と、報知装置２１を作動させる駆動部１００と、から概略構成されている。
入賞装置本体３０は、開閉部材としての一対の可変翼３１、３２と、各可変翼３１、３２の回動軸３１ａ、３２ａを夫々外内方向（開閉方向）へ回動自在に支持する支持部材３５と、支持部材３５の前面に配置された前飾り板４５と、支持部材３５によって回動自在に軸支されて可変翼３１、３２を開閉動作させるための作動部材６０と、を備えている。
支持部材３５は、遊技盤４に固定するために左右側方に張り出した固定板３６と、固定板３６から後方へ突出して先端に設けた支持穴３７ａによって作動部材６０の軸部６１を上下方向に回動自在に軸支する軸支片３７と、駆動部１００との間の位置決め及びネジ止めを行うための係合部材３８ａ、３８ｂ、３８ｃ、３８ｄと、中央上部から前方へ突出した突出片３９と、を有する。
支持部材３５の前面には、前飾り板４５がネジ４０によって固定されている。前飾り板４５は、図４（ｂ）に示すように最前面に位置する前飾り板本体４６と、本体４６の後方に一体化され可変翼３１、３２を支持するための支持部４７と、報知装置２１と、を備えている。
【０００９】
図２、図３に示すように、前飾り板４５の本体４６は、その前面に固定表示部本体４８と、開口としての窓部５０と、を備え、更に窓部５０の内奥部には窓部５０の前方から視認可能な奥部固定表示部４９が固定配置されている。
本体４６の裏面には、各可変翼３１、３２の回動軸３１ａ、３２ａを軸支するための凹所４６ａを備えており、回動軸３１ａ、３２ａの前端部は、各凹所４６ａ内に軸支されるとともに、回動軸３１ａ、３２ａの他端は後述する作動部材６０によって支持される。
更に、本体４６の裏面と奥部固定表示部４９との間の隙間には、可動表示部としてのシャッタ板５１が上下方向に進退可能に支持されることによって、窓部５０から出没自在に構成されている。
固定表示部本体４８の前面には、文字、図形、符号等の視覚的に認識可能な表示内容が記載され、奥部固定表示部４９にも視覚的に認識可能な表示内容が記載されている。更に、シャッタ板５１の前面にも同様の表示内容が記載されている。
図示した実施形態例では、固定表示部本体４８には、「門」という文字（固定表示内容）が記載され、固定表示部本体４８の下部中央に配置された窓部５０内の奥部固定表示部４９の前面には「開」の文字から「門」を除去した文字の一部が記載されている。一方、シャッタ板５１の前面には「閉」の文字から「門」を除去した文字の一部、即ち「オ」が記載されている。従って、図２（ａ）、図７（ａ）のように可変翼３１、３２が閉鎖状態にある時には、これと連動したシャッタ板５１が下降して窓部５０を閉止しており、この際、前面から視認される表示内容は「閉」となる。一方、図３（ａ）、図７（ｂ）のように可変翼３１、３２が開放状態にあるときには、これと連動したシャッタ板５１が上昇して窓部５０を開放して奥部固定表示部４９を露出させており、この際、前面から視認される表示内容は「開」となる。
【００１０】
なお、可変翼３１、３２が閉鎖状態にあるときにシャッタ板５１が窓部５０から退避するように構成してもよく、この場合には、シャッタ板５１の前面に「開」の文字から「門」を除去した文字の一部を記載し、奥部固定表示部４９の前面に「閉」の一部である「オ」を表示する。
なお、ここに示した文字の例は一例に過ぎず、他の文字、図柄、符号等々の視覚的に認識可能な表示内容を用いることが可能である。或いは、着色により識別可能に構成しても良い。
また、この例では、本体４６の一部のみを表示内容を可変に構成したが、本体４６の全体の表示内容を可変に構成することにより、可変翼の動作を連動して開閉状態を交互に表示できるように構成してもよい。具体的には、固定表示部としての奥部固定表示部４９と、可動表示部としてのシャッタ板５１だけを利用して、可変翼の開閉状態を切替表示するように構成しても良い。
或いは、文字等による視覚的表示内容に代えて、ＬＥＤ等の発光装置を本体４６の前面、或いは周辺に配置して、可変翼３１、３２の開閉動作と連動して、発光装置を点灯、点滅させることによって、開閉状態を更に確実に報知するように構成しても良い。或いは、文字等による表示内容と共にこの発光装置を用いることにより、報知性、注意喚起性を高めるようにしてもよい。或いは、報知音等の聴覚的な報知手段を採用してもよい。
また、可変翼が閉鎖状態にある場合にはその状態を格別に表示することなく、開放状態に移行したときのみ報知装置を作動させて開放状態にあることを報知するように構成してもよい。この場合には、報知装置が作動していないこと自体が閉鎖状態にあることを報知する意味を含むことになる。
【００１１】
シャッタ板５１は、前飾り板本体４６の背面に形成した矩形のガイド凹所４６ｂ内に上下動可能に支持されており、シャッタ板５１の上部には横長の被係止溝部（被係止部）５１ａが形成されている。図４（ｂ）、図５（ａ）（ｂ）に示すように、この被係止溝部５１ａ内には、各可変翼３１、３２の一部から突設したリブ３１ｃ、３２ｃの先端部が常時係合することにより、回動軸３１ａ、３２ａを中心として各可変翼３１、３２が開閉方向へ回動する際に、シャッタ板５１を上昇、下降させる。
各可変翼３１、３２の後面下部から後方へ突出した被作動突起３１ｂ、３２ｂは、その先端部を、支持部材３５の軸支片３７によって回動自在に支持された作動部材６０の係合片６２に設けた嵌合凹所６２ａ内に常時嵌合させることにより、軸部６１を中心として作動部材６０が上下方向に回動したときに、各可変翼３１、３２をその回動軸３１ａ、３２ａを中心として開閉方向に回動させる。各可変翼３１、３２の閉鎖方向への回動範囲の限界は、図５（ａ）に示すように被係止溝部５１ａの両端部によって定められ、各可変翼３１、３２の開放方向への限界範囲は、図５（ｂ）に示すように支持部４７の内壁４７ａ、或いはガイド凹所４６ｂの上端壁によって定められる。
【００１２】
作動部材６０は、図６に示す如く、左右対称形状を備えた２つの係合片６２間を連結棒６３にて連結一体化した構成を備えている。各係合片６２の対向面上部には、駆動部１００側に設けたソレノイド１０２のプランジャ１１１と常時係合して上下方向へ回動させられる被作動部としての被作動突起６２ｂが突設されている。
駆動部１００は、支持フレーム１０１の上部にソレノイド１０２を支持すると共に、支持フレーム１０１の下部に回路基板１０３を支持した構成を備え、支持部材３５に設けた係合部材３８ｂの端面に設けたネジ穴に対して、支持フレーム１０１に設けた穴を対応させた状態で、ネジ１０４を螺着させることにより、入賞装置本体３０に対して固定される。
支持フレーム下部から前方へ突出した回路基板１０３は、支持部材３５の下部に位置する係合部材３８ｃ、３８ｄ間に形成される支持空所内に嵌合収納される。
支持フレーム１０１の下部前端にはガイド片１０１ａが突出しており、このガイド片１０１ａの先端面をシャッタ板５１の裏面に近接配置することにより、シャッタ板５１の上下動をガイドする。
ソレノイド１０２は、その本体１１０を支持フレーム１０１の上部に固定され、本体１１０の前面から出没自在に支持されたプランジャ１１１はバネ１１２によって突出する方向へ常時弾性付勢されている。プランジャ１１１の先端に設けた２個のフランジ１１１ａ間には、作動部材６０の被作動突起６２ｂが抜け落ち不能に常時嵌合しており、図７（ａ）−（２）のようにソレノイド１０２がＯＦＦ状態の時には突出したプランジャ１１１によって作動部材６０は、軸部６１を中心として反時計回り方向（閉鎖方向）へ回動させられ、各嵌合凹所６２ａ内に常時嵌合した各可変翼３１、３２の被作動突起３１ｂ、３２ｂの先端部を同時に下方へ押し下げる。このため、各可変翼３１、３２は、同時に閉鎖方向へ回動（閉鎖位置を保持）し、その際に被係止溝部５１内に嵌合した各可変翼３１、３２のリブ３１ｃ、３２ｃが図５（ａ）の如くシャッタ板５１を下降させる。このため、前飾り板４５の前面は図２（ａ）、図７（ａ）−（１）の如く、閉鎖状態にあることを表示する。つまり、窓部５０の内奥部に位置する奥部固定表示部４９がシャッタ板５１により隠蔽されるため、窓部５０からはシャッタ板５１の前面に表示された内容が表示された状態となって、本体４６全体として「閉」を示す。
【００１３】
一方、図７（ｂ）−（２）のようにソレノイド１０２がＯＮ状態の時には本体１１０側に引っ込んだプランジャによって作動部材６０は軸部６１を中心として時計回り方向（開放方向）へ回動させられ、嵌合凹所６２ａ内に常時嵌合した被作動突起３１ｂ、３２ｂの先端部を同時に上方へ上昇させる。このため、各可変翼３１、３２は、同時に開放方向へ回動し、その際に被係止溝部５１内に嵌合した各可変翼３１、３２のリブ３１ｃ、３２ｃが図５（ｂ）の如くシャッタ板５１を上昇させる。このため、前飾り板４５の前面は図３（ａ）、図７（ｂ）−（１）の如く、開放状態にあることを表示する。つまり、窓部５０からシャッタ板５１が退避するため、窓部５０の内奥部に位置する奥部固定表示部４９が露出した状態となり、窓部５０からは奥部固定表示部４９の前面に記載された内容が表示された状態となって、本体４６全体として「開」を示す。
このように本発明の入賞装置によれば、可変翼等から成る開閉部材の閉鎖状態、或いは開放状態を、適時に確実に遊技者にアッピールして好機を逃す虞をなくすることができる。即ち、特に、入賞装置及び周辺部品のレイアウト上の制限から、開閉部材の大半の部分が前飾り板等により隠蔽されている場合等、開閉部材の動作が視認しにくい場合には、開閉部材が閉鎖状態から開放状態に移行したことを遊戯中の遊技者が適時に視覚的に把握することが困難となり、折角の有利な権利状態を逃してしまう虞があった。これに対して本発明では、開閉部材としての可変翼の動作変化を直接視認することなく、最も視認し易い入賞装置の前面に目立つ構成から成る報知装置を設けて、開閉部材の動作を確実に把握できるように構成したので、上記従来の不具合をなくすることができる。
なお、上記実施形態で示した構成例は一例に過ぎず、従って本発明と同等の目的、機能を達成することができる範囲内での構成上の改変、置換等を行った入賞装置は、本発明の技術的範囲に属するものである。
【００１４】
【発明の効果】
以上のように本発明によれば、開閉部材を開閉自在に軸支した構造の入賞装置において、開閉部材自体の動作変化を直接目視確認することなく、開閉部材が開放状態にあるか、閉鎖状態にあるかを遊技者が一目で確認することができる。即ち、開閉部材の開閉動作を直接目視確認した結果に依存することなく、開閉部材の前面の目立つ位置に、開閉部材の開閉動作と連動して作動し、且つ目視確認が極めて容易な構成を備えた報知手段を配置したので、開放状態への変化を見落とすことが皆無となり、遊技機に対する興趣を高め、人気の低落を防止できる。
【図面の簡単な説明】
【図１】本発明の一実施形態に係るパチンコ遊技機の概略構成を説明するための正面図。
【図２】（ａ）及び（ｂ）は本発明の一実施形態に係る入賞装置の閉鎖状態の構成を示す前方斜視図、及び平面図。
【図３】（ａ）及び（ｂ）はその開放状態の構成を示す前方斜視図、及び平面図。
【図４】（ａ）及び（ｂ）は上記入賞装置の構成を示す分解斜視図、及び前飾り板と可変翼の分解斜視図。
【図５】（ａ）及び（ｂ）は可変翼とシャッタ板との連携状態を示す図。
【図６】（ａ）及び（ｂ）は作動部材の構成を示す斜視図、及び平面図。
【図７】（ａ）及び（ｂ）は閉鎖状態及び開放状態の構成説明図であり、（ａ）−（１）及び（２）は閉状態の正面図及びＡ−Ａ断面図、（ｂ）−（１）及び（２）は開状態の正面図及びＢ−Ｂ断面図。
【符号の説明】
１  遊技盤、２  遊技行域、３  図柄変動表示装置、４  入賞口、５  遊技釘、２０  入賞装置、２１  報知装置、３０  入賞装置本体、３１、３２  開閉部材（可変翼）、３１ａ、３２ａ  回動軸、３１ｂ、３２ｂ  被作動突起、３１ｃ、３２ｃ  リブ、３５  支持部材、３６  固定板、３７  軸支片、３７ａ  支持穴、３８ａ、３８ｂ、３８ｃ、３８ｄ  係合部材、４０  ネジ、４５  前飾り板、４６  前飾り板本体、４６ｂ  ガイド凹所、４７  支持部、４８  固定表示部本体、４９  奥部固定表示部、５０  窓部、５１  シャッタ板（可動表示部）、５１ａ  被係止溝部（被係止部）、６０  作動部材、６１  軸部、６２  係合片、６２ａ  嵌合凹所、６３  連結棒、１００  駆動部、１０１  支持フレーム、１０２  ソレノイド、１０３  回路基板、１０４  ネジ、１１０  本体、１１１プランジャ、１１２  バネ。
【図１】
2004223161.tif 000003
【図２】
2004223161.tif 000004
【図３】
2004223161.tif 000005
【図４】
2004223161.tif 000006
【図５】
2004223161.tif 000007
【図６】
2004223161.tif 000008
【図７】
2004223161.tif 000009